(57)【要約】【課題】宝石等に適正な価格を付けることのできる価格情報提供システム及び価格情報提供プログラム並びに価格情報提供方法を提供する。【解決手段】本発明を適用した色石価格情報システム１は、ネットワーク上に設けられ、外部の端末２からインターネット３を介して使用可能な形態となっている。また、色石価格情報システム１は、色石の色合いに関する情報が記録された色合い情報記録部４と、色石の種類が記録された種類情報記録部５を有している。【選択図】図１
2015072507.tif 000002
【特許請求の範囲】
【請求項１】
色石の有する色合いに関する情報である第１の色情報が記録された第１の色情報記録部と、
前記第１の色情報に対応した色石の種類に関する情報である種類情報が記録された種類情報記録部と、
前記種類情報に対応した色石の色の属性に関する情報である第２の色情報が記録された第２の色情報記録部と、
前記種類情報に対応した色石の傷の程度に関する情報である傷情報が記録された傷情報記録部と、
少なくとも、前記種類情報記録部に記録された前記種類情報の中から選ばれた色石の種類、前記第２の色情報記録部に記録された前記第２の色情報の中から選ばれた色石の色の属性、前記傷情報記録部に記録された前記傷情報の中から選ばれた色石の傷の程度、入力された色石のサイズ情報、及び色石の相場に基づいて価格を出力する価格出力部とを備える
価格情報提供システム。
【請求項２】
色石の製品の形態に関する情報である形態情報が記録された形態情報記録部と、
製品の品目に関する情報である品目情報が記録された品目情報記録部と、
製品の地金の種類に関する地金種類情報が記録された地金種類情報記録部とを備え、
前記価格出力部は、前記形態情報記録部に記録された前記形態情報の中から選ばれた製品の形態、前記品目情報記録部に記録された前記品目情報の中から選ばれた製品の品目、前記地金種類情報記録部に記録された前記地金種類情報の中から選ばれた製品の地金の種類、入力された製品の地金の重量、入力された製品のメレダイヤの合計カラット数、及び地金の相場にも基づいて価格を出力する
請求項１に記載の価格情報提供システム。
【請求項３】
前記種類情報に対応した色石について、色の属性、傷の程度、及びサイズの性質のうち少なくとも１つと価格の増減との関係に関する情報である参考情報が記録された参考情報記録部を備え、
前記価格出力部は前記参考情報を出力する
請求項１または請求項２に記載の価格情報提供システム。
【請求項４】
色石の在庫に関する情報である在庫情報が記録された在庫情報記録部と、
前記在庫情報記録部に記録された前記在庫情報に対応して前記価格出力部が出力した価格に対して価格の変更に関する情報を出力する価格変更情報出力部とを備える
請求項１、請求項２または請求項３に記載の価格情報提供システム。
【請求項５】
色石の写真データが記録された写真データ記録部を備え、
前記第１の色情報記録部、前記種類情報記録部、前記第２の色情報記録部、前記傷情報記録部、及び前記価格出力部は、前記写真データ記録部に記録された色石の情報を更新する
請求項１、請求項２、請求項３または請求項４に記載の価格情報提供システム。
【請求項６】
ユーザ端末に、
色石の有する色合いに関する情報である第１の色情報を記録する機能と、
前記第１の色情報に対応した色石の種類に関する情報である種類情報を記録する機能と、
前記種類情報に対応した色石の色の属性に関する情報である第２の色情報を記録する機能と、
前記種類情報に対応した色石の傷の程度に関する情報である傷情報を記録する機能と、
少なくとも、前記種類情報の中から選ばれた色石の種類、前記第２の色情報の中から選ばれた色石の色の属性、前記傷情報の中から選ばれた色石の傷の程度、入力された色石のサイズ情報、及び色石の相場に基づいて価格を出力する機能とを付与する
前記ユーザ端末にインストールされて、価格情報を提供する価格情報提供プログラム。
【請求項７】
色石の有する色合いに関する情報である第１の色情報を記録する第１のステップと、
該第１のステップで記録した前記第１の色情報の色石の種類に関する情報である種類情報を記録する第２のステップと、
該第２のステップで記録した前記種類情報の色石の大きさに関する情報であるサイズ情報、前記第２のステップで記録した前記種類情報の色石の色の属性に関する情報である第２の色情報、及び前記第２のステップで記録した前記種類情報の色石の有する傷の程度に関する情報である傷情報を記録して、色石の相場に対応した価格を提示する第３のステップとを備える
価格情報提供方法。
【請求項８】
ダイヤモンドの色の属性に関する情報である色情報が記録された色情報記録部と、
ダイヤモンドの傷の程度に関する情報である傷情報が記録された傷情報記録部と、
ダイヤモンドのカットに関する情報であるカット情報が記録されたカット情報記録部と、
少なくとも、前記色情報記録部に記録された前記色情報の中から選ばれたダイヤモンドの色の属性、前記傷情報記録部に記録された前記傷情報の中から選ばれたダイヤモンドの傷の程度、前記カット情報記録部に記録された前記カット情報の中から選ばれたダイヤモンドのカット、入力されたダイヤモンドのサイズ情報、及びダイヤモンドの相場に基づいて価格を出力する価格出力部とを備える
価格情報提供システム。
【請求項９】
ユーザ端末に、
ダイヤモンドの色の属性に関する情報である色情報を記録する機能と、
ダイヤモンドの傷の程度に関する情報である傷情報を記録する機能と、
ダイヤモンドのカットに関する情報であるカット情報を記録する機能と、
少なくとも、前記色情報の中から選ばれたダイヤモンドの色の属性、前記傷情報の中から選ばれたダイヤモンドの傷の程度、前記カット情報の中から選ばれたダイヤモンドのカット、入力されたダイヤモンドのサイズ情報、及びダイヤモンドの相場に基づいて価格を出力する機能とを付与する
前記ユーザ端末にインストールされて、価格情報を提供する価格情報提供プログラム。
【請求項１０】
ダイヤモンドの色の属性に関する情報である色情報、ダイヤモンドの傷の程度に関する情報である傷情報、及びダイヤモンドのカットに関する情報であるカット情報を記録する第１のステップと、
ダイヤモンドの大きさに関する情報であるサイズ情報、前記第１のステップで記録したダイヤモンドの有する色の属性に関する情報である色情報、前記第１のステップで記録したダイヤモンドの有する傷の程度に関する情報である傷情報、及び前記第１のステップで記録したダイヤモンドのカットに関する情報であるカット情報を記録して、ダイヤモンドの相場に対応した価格を提示する第２のステップとを備える
価格情報提供方法。
【発明の詳細な説明】
【技術分野】
【０００１】
本発明は、価格情報提供システム及び価格情報提供プログラム並びに価格情報提供方法に関する。詳しくは、宝石等に適正な価格を付けることのできる価格情報提供システム及び価格情報提供プログラム並びに価格情報提供方法に係るものである。
【背景技術】
【０００２】
宝石とは主に、天然鉱物の無機質結晶であり、一般的に外観が美しく指輪やネックレス等の宝飾品に使用される。宝石の中でも価値の高い石は貴石と呼ばれ、その美しさ及び希少性の高さから珍重されている。
【０００３】
また、宝石を用いた宝飾品は、宝石とその台座となる貴金属の組合せから構成されている。宝石自体の財産的価値と、台座となる貴金属の価値の両方が宝飾品の価格に大きく影響する。
【０００４】
また、金をはじめとした貴金属では価格算定の根拠となる評価基準が決められており、相場や市場が整備されている。そのため、貴金属は各国で通用する価格設定が可能であり、資産としての換金性に優れるものとなっている。
【０００５】
また、貴金属は電気伝導性や耐久性に優れることから工業用途としても利用されている。例えば、金は導電性、低電気抵抗性、耐食性等の特性から半導体に用いられ、電子機器関連の分野での需要が高い材料となっている。
【０００６】
こうしたなか、貴金属資源を効率よく確保するための貴金属製品買取システムが存在し、例えば、特許文献１に記載の貴金属製品買取システムが提案されている。
【０００７】
ここで、特許文献１には、図９に示すような買取システム１００が記載されている。買取システム１００は、メインサーバ１０１と、クライアント端末１０２、及び売買処理手段１０３を備えている。
【０００８】
また、メインサーバ１０１は、貴金属の市場価格及び相場を基準に決定される地金価格に連動した買取単価を収容している。また、クライアント端末１０２は複数の買取店舗に設置され、貴金属製品の買取データを作成し、メインサーバ１０１に送信する。また、売買処理手段１０３は、買取データに基づき市場に対して貴金属の売り注文を行うものとなっている。
【先行技術文献】
【特許文献】
【０００９】
【特許文献１】特開２０１２―１５５６３９号公報
【発明の概要】
【発明が解決しようとする課題】
【００１０】
しかしながら、特許文献１に記載の買取システムは、貴金属のみを買取対象としたシステムであり、宝石についての適切な査定や買取価格の算出ができるものとはなっていない。即ち、宝飾品における地金部分のみが対象であり、宝石の部分については、何ら価格を提示するものではない。
【００１１】
貴金属は前述したように、価格算出のための明確な評価基準が存在し、蛍光Ｘ線装置を用いた品位鑑定や重量計測の結果と、市場価格の情報により、適正な買取価格が表示できる。しかし、宝石については、品質に対応したランク分けのルールや、価格算出のための明確な基準が存在しないため、査定を行うことが困難である。
【００１２】
この問題は、宝石の中でもダイヤモンド以外の色石について特に顕著である。色石の価値は基本的に、石の大きさ、傷の有無、色等により決まるが、各項目の程度に応じた基準が存在しないことから、様々な種類の色石の中での品質の位置づけが難しかった。
【００１３】
また、貴金属のように、相場や市場が充分に整備されていないことから、査定対象の色石が、どのぐらいの価格で取引されているかという価格情報を入手しにくい状況が存在する。
【００１４】
この結果として、宝石を取り扱う業者は、色石の査定や買取を行わない店舗が多く存在し、査定を行う店舗間でも査定結果や買取価格に大きなばらつきが見られるという不都合が生じていた。
【００１５】
本発明は、以上の点に鑑みて創案されたものであり、宝石等に適正な価格を付けることのできる価格情報提供システム及び価格情報提供プログラム並びに価格情報提供方法を提供することを目的とする。
【課題を解決するための手段】
【００１６】
上記の目的を達成するために、本発明の価格情報提供システムは、色石の有する色合いに関する情報である第１の色情報が記録された第１の色情報記録部と、前記第１の色情報に対応した色石の種類に関する情報である種類情報が記録された種類情報記録部と、前記種類情報に対応した色石の色の属性に関する情報である第２の色情報が記録された第２の色情報記録部と、前記種類情報に対応した色石の傷の程度に関する情報である傷情報が記録された傷情報記録部と、少なくとも、前記種類情報記録部に記録された前記種類情報の中から選ばれた色石の種類、前記第２の色情報記録部に記録された前記第２の色情報の中から選ばれた色石の色の属性、前記傷情報記録部に記録された前記傷情報の中から選ばれた色石の傷の程度、入力された色石のサイズ情報、及び色石の相場に基づいて価格を出力する価格出力部とを備える。
【００１７】
ここで、色石の有する色合いに関する情報である第１の色情報が記録された第１の色情報記録部と、第１の色情報に対応した色石の種類に関する情報である種類情報が記録された種類情報記録部によって、色石の有する色合いに応じた色石の種類の判定が可能となる。
【００１８】
例えば、第１の色情報として緑色が記録され、複数の緑色を呈する色石の種類情報と対応させることで、緑色を呈する種類が不明な色石について、その色を参考に種類を判定することができる。
【００１９】
また、種類情報に対応した色石の色の属性に関する情報である第２の色情報が記録された第２の色情報記録部によって、色石の種類とその色石の色の属性に応じた序列付けが可能となる。即ち、色石の種類とその色の属性に基づいた価値の評価の基準とすることができる。なお、ここで、色の属性とは、色相、彩度及び明度の性質を指すものである。
【００２０】
また、種類情報に対応した色石の傷の程度に関する情報である傷情報が記録された傷情報記録部によって、色石の種類とその色石の傷の程度に応じた序列付けが可能となる。即ち、色石の種類とその傷の程度に基づいた価値の評価の基準とすることができる。なお、ここで、傷の程度とは、色石の内側の内包物の程度や、透明度の程度を反映したものである。
【００２１】
また、少なくとも、種類情報記録部に記録された種類情報の中から選ばれた色石の種類、第２の色情報記録部に記録された第２の色情報の中から選ばれた色石の色の属性、傷情報記録部に記録された傷情報の中から選ばれた色石の傷の程度、入力された色石のサイズ情報、及び色石の相場に基づいて価格を出力する価格出力部によって、色石の種類、色の属性、傷の程度、サイズ及びその色石の相場を反映した価格を出力することが可能となる。即ち、各情報を反映した価値の基準と、その基準を有する色石の市場での価値を結び付けて、価格を算出することができる。
【００２２】
また、色石の製品の形態に関する情報である形態情報が記録された形態情報記録部を備える場合には、製品か裸石のいずれであるかの情報を、価格を算出する際の評価項目に加えることが可能となる。
【００２３】
また、製品の品目に関する情報である品目情報が記録された品目情報記録部を備える場合には、製品の品目を、価格を算出する際の評価項目に加えることが可能となる。なお、製品の品目とは、例えば、指輪やネックレス等といった具体的な製品名称を示すものである。
【００２４】
また、製品の地金の種類に関する地金種類情報が記録された地金種類情報記録部を備える場合には、製品の台座を構成する地金の種類を、価格を算出する際の評価項目に加えることが可能となる。
【００２５】
また、価格出力部が、形態情報記録部に記録された形態情報の中から選ばれた製品の形態、品目情報記録部に記録された品目情報の中から選ばれた製品の品目、地金種類情報記録部に記録された地金種類情報の中から選ばれた製品の地金の種類、入力された製品の地金の重量、入力された製品のメレダイヤの合計カラット数、及び地金の相場にも基づいて価格を出力する場合には、色石やその色石を有する製品について、より詳細な価格を出力することができる。即ち、製品の形態、製品の品目、地金の種類、地金の重量、メレダイヤの合計カラット数を反映した価値の基準と、その基準を有する色石の市場での価値を結び付けて、価格を算出することができる。
【００２６】
また、種類情報に対応した色石について、色の属性、傷の程度、及びサイズの性質のうち少なくとも１つと価格の増減との関係に関する情報である参考情報が記録された参考情報記録部を備え、価格出力部が参考情報を出力する場合には、出力された色石の価格の見直しを行うことが容易となる。
【００２７】
例えば、色石の種類がエメラルドと判定され、対象の石の色の属性等の基準に応じた価格が出力された時に、「エメラルドで色の属性のランクがＡ評価であれば、更に２０万円上げた価格設定が可能です。」といった、より具体的な、価格に関する参考の情報を出力させることができる。
【００２８】
また、色石の在庫に関する情報である在庫情報が記録された在庫情報記録部を備える場合には、本システムを設置する店舗の在庫の情報を、価格を算出する際の評価項目に加えることが可能となる。
【００２９】
また、色石の在庫に関する情報である在庫情報が記録された在庫情報記録部と、在庫情報記録部に記録された在庫情報に対応して価格出力部が出力した価格に対して価格の変更に関する情報を出力する価格変更情報出力部を備える場合には、在庫の状況に応じて、出力された色石の価格の見直しを行うことが容易となる。
【００３０】
また、色石の写真データが記録された写真データ記録部を備える場合には、価格を算出する色石の写真の情報を記録させることが可能となる。
【００３１】
また、色石の写真データが記録された写真データ記録部を備え、第１の色情報記録部、種類情報記録部、第２の色情報記録部、傷情報記録部、及び価格出力部が、写真データ記録部に記録された色石の情報を更新する場合には、新たな色石の写真の情報と、その色石に対応した各情報をシステムに追加することが可能となる。
【００３２】
例えば、種類が不明な色石を判定し、種類が明らかになったものについて、外観と、その色石の種類、色、傷の情報をシステムに新たに追加することができる。即ち、システムによる判定の精度を高めることが可能となる。
【００３３】
また、上記の目的を達成するために、本発明の価格情報提供プログラムは、ユーザ端末に、色石の有する色合いに関する情報である第１の色情報を記録する機能と、前記第１の色情報に対応した色石の種類に関する情報である種類情報を記録する機能と、前記種類情報に対応した色石の色の属性に関する情報である第２の色情報を記録する機能と、前記種類情報に対応した色石の傷の程度に関する情報である傷情報を記録する機能と、少なくとも、前記種類情報の中から選ばれた色石の種類、前記第２の色情報の中から選ばれた色石の色の属性、前記傷情報の中から選ばれた色石の傷の程度、入力された色石のサイズ情報、及び色石の相場に基づいて価格を出力する機能とを付与し、前記ユーザ端末にインストールされて、価格情報を提供する。
【００３４】
ここで、少なくとも、種類情報の中から選ばれた色石の種類、第２の色情報の中から選ばれた色石の色の属性、傷情報の中から選ばれた色石の傷の程度、入力された色石のサイズ情報、及び色石の相場に基づいて価格を出力する機能を付与する価格情報提供プログラムがユーザ端末にインストールされることによって、ユーザ端末を用いて、色石の種類、色の属性、傷の程度、サイズ及びその色石の相場を反映した価格を出力することが可能となる。例えば、店舗に設置した端末を使って、色石の価格を出力することが可能なる。
【００３５】
また、上記の目的を達成するために、本発明の価格情報提供方法は、色石の有する色合いに関する情報である第１の色情報を記録する第１のステップと、該第１のステップで記録した前記第１の色情報の色石の種類に関する情報である種類情報を記録する第２のステップと、該第２のステップで記録した前記種類情報の色石の大きさに関する情報であるサイズ情報、前記第２のステップで記録した前記種類情報の色石の色の属性に関する情報である第２の色情報、及び前記第２のステップで記録した前記種類情報の色石の有する傷の程度に関する情報である傷情報を記録して、色石の相場に対応した価格を提示する第３のステップとを備える。
【００３６】
ここで、色石の有する色合いに関する情報である第１の色情報を記録する第１のステップと、第１のステップで記録した第１の色情報の色石の種類に関する情報である種類情報を記録する第２のステップによって、色石の複数の色合いの情報と、その色合いを持つ色石の情報を記録することができる。
【００３７】
例えば、第１の色情報として、赤石、青石、緑石、ピンク石、黒石等といった色石の色合いの情報を記録する。また、種類情報では、緑石に属するものとして、エメラルド、アレキサンドライト、パライバトルマリン、翡翠等の緑色の外観を有する色石の種類を記録する。
【００３８】
また、第２のステップで記録した種類情報の色石の大きさに関する情報であるサイズ情報、第２のステップで記録した種類情報の色石の色の属性に関する情報である第２の色情報、及び第２のステップで記録した種類情報の色石の有する傷の程度に関する情報である傷情報を記録して、色石の相場に対応した価格を提示する第３のステップによって、色石の種類、色の属性、傷の程度、サイズ及びその色石の相場を反映した価格を提示することができる。
【００３９】
また、上記の目的を達成するために、本発明の価格情報提供システムは、ダイヤモンドの色の属性に関する情報である色情報が記録された色情報記録部と、ダイヤモンドの傷の程度に関する情報である傷情報が記録された傷情報記録部と、ダイヤモンドのカットに関する情報であるカット情報が記録されたカット情報記録部と、少なくとも、前記色情報記録部に記録された前記色情報の中から選ばれたダイヤモンドの色の属性、前記傷情報記録部に記録された前記傷情報の中から選ばれたダイヤモンドの傷の程度、前記カット情報記録部に記録された前記カット情報の中から選ばれたダイヤモンドのカット、入力されたダイヤモンドのサイズ情報、及びダイヤモンドの相場に基づいて価格を出力する価格出力部とを備える。
【００４０】
ここで、ダイヤモンドの色の属性に関する情報である色情報が記録された色情報記録部よって、ダイヤモンドの色の属性に応じた序列付けが可能となる。
【００４１】
また、ダイヤモンドの傷の程度に関する情報である傷情報が記録された傷情報記録部によって、ダイヤモンドの傷の程度に応じた序列付けが可能となる。
【００４２】
また、ダイヤモンドのカットに関する情報であるカット情報が記録されたカット情報記録部によって、ダイヤモンドのカットに応じた序列付けが可能となる。
【００４３】
また、少なくとも、色情報記録部に記録された色情報の中から選ばれたダイヤモンドの色の属性、傷情報記録部に記録された傷情報の中から選ばれたダイヤモンドの傷の程度、カット情報記録部に記録されたカット情報の中から選ばれたダイヤモンドのカット、入力されたダイヤモンドのサイズ情報、及びダイヤモンドの相場に基づいて価格を出力する価格出力部によって、ダイヤモンドの色の属性、傷の程度、サイズ及びその相場を反映した価格を出力することが可能となる。即ち、各情報を反映した価値の基準と、その基準を有するダイヤモンドの市場での価値を結び付けて、価格を算出することができる。
【００４４】
また、上記の目的を達成するために、本発明の価格情報提供プログラムは、ユーザ端末に、ダイヤモンドの色の属性に関する情報である色情報を記録する機能と、ダイヤモンドの傷の程度に関する情報である傷情報を記録する機能と、ダイヤモンドのカットに関する情報であるカット情報を記録する機能と、少なくとも、前記色情報の中から選ばれたダイヤモンドの色の属性、前記傷情報の中から選ばれたダイヤモンドの傷の程度、前記カット情報の中から選ばれたダイヤモンドのカット、入力されたダイヤモンドのサイズ情報、及びダイヤモンドの相場に基づいて価格を出力する機能とを付与し、ユーザ端末にインストールされて、価格情報を提供する。
【００４５】
ここで、少なくとも、色情報の中から選ばれたダイヤモンドの色の属性、傷情報の中から選ばれたダイヤモンドの傷の程度、カット情報の中から選ばれたダイヤモンドのカット、入力されたダイヤモンドのサイズ情報、及びダイヤモンドの相場に基づいて価格を出力する機能を付与する価格情報提供プログラムがユーザ端末にインストールされることによって、ユーザ端末を用いて、ダイヤモンドの色の属性、傷の程度、サイズ及びその相場を反映した価格を出力することが可能となる。例えば、店舗に設置した端末を使って、ダイヤモンドの価格を出力することが可能なる。
【００４６】
また、上記の目的を達成するために、ダイヤモンドの色の属性に関する情報である色情報、ダイヤモンドの傷の程度に関する情報である傷情報、及びダイヤモンドのカットに関する情報であるカット情報を記録する第１のステップと、ダイヤモンドの大きさに関する情報であるサイズ情報、前記第１のステップで記録したダイヤモンドの有する色の属性に関する情報である色情報、前記第１のステップで記録したダイヤモンドの有する傷の程度に関する情報である傷情報、及び前記第１のステップで記録したダイヤモンドのカットに関する情報であるカット情報を記録して、ダイヤモンドの相場に対応した価格を提示する第２のステップとを備える。
【００４７】
ここで、ダイヤモンドの大きさに関する情報であるサイズ情報、第１のステップで記録したダイヤモンドの有する色の属性に関する情報である色情報、第１のステップで記録したダイヤモンドの有する傷の程度に関する情報である傷情報、及び第１のステップで記録したダイヤモンドのカットに関する情報であるカット情報を記録して、ダイヤモンドの相場に対応した価格を提示する第２のステップによって、ダイヤモンドの色の属性、傷の程度、サイズ及びその相場を反映した価格を提示することができる。
【発明の効果】
【００４８】
本発明に係る価格情報提供システムは、宝石等に適正な価格を付けることのできるものとなっている。
また、本発明に係る価格情報提供プログラムは、宝石等に適正な価格を付けることのできるものとなっている。
また、本発明に係る価格情報提供方法は、宝石等に適正な価格を付けることのできるものとなっている。
【図面の簡単な説明】
【００４９】
【図１】本発明を適用した価格情報提供システムの一例を示す概略図である。
【図２】本発明を適用した価格情報提供方法のフローチャートを示す概略図である。
【図３】色石の色合い情報ページ及び色石の種類情報ページを示す概略図である。
【図４】各情報に基づき色石の価格出力を行うページを示す概略図である。
【図５】色石の色の属性のランクの判定ページの概略図である。
【図６】色石の傷の程度のランクの判定ページの概略図である。
【図７】本発明を適用した価格情報提供システムの一例を示す概略図である。
【図８】各情報に基づきダイヤモンドの価格出力を行うページを示す概略図である。
【図９】従来の貴金属の買取システムを示す概略図である。
【発明を実施するための形態】
【００５０】
以下、本発明の実施の形態について図面を参照しながら説明し、本発明の理解に供する。
図１は、本発明を適用した価格情報提供システムの構成の一例を示す概略図である。
【００５１】
図１に示すように、本発明を適用した色石価格情報システム１は、ネットワーク上に設けられ、外部の端末２からインターネット３を介して使用可能な形態となっている。
【００５２】
また、色石価格情報システム１は、色石の色合いに関する情報が記録された色合い情報記録部４と、色石の種類が記録された種類情報記録部５を有している。色合い情報とは、赤色、青色、緑色といった色石が呈する色合いの情報である。
【００５３】
また、色石価格情報システム１は、色石の種類情報と色合い情報を対応させている。即ち、色合いが緑色である場合には、緑色を呈する色石の種類であるエメラルド、アレキサンドライト、パライバトルマリン、翡翠等が存在するとして、色合いと種類が紐づけられて記録されている。
【００５４】
また、色石価格情報システム１は、色石の色の属性に関する情報である色属性情報が記録された色属性情報記録部６を有する。前述したが、色の属性とは、色相、彩度及び明度といった色の三属性のことをさし、色石の価値を決める基準の１つとなるものである。
【００５５】
色属性情報記録部６では、色の属性の条件が良いものから順番にランク分けをして、基準が設定されている。また、色の属性の基準は色石の種類ごとに設定されている。例えば、色が鮮やかで彩度の高いものは色の属性の条件がよいものに該当し、高ランクのものとして記録される。
【００５６】
また、色石価格情報システム１は、色石の傷の程度に関する情報である傷情報が記録された傷情報記録部７を有する。前述したが、傷の程度とは、色石の内側の内包物の程度や、透明度の程度を反映した性質であり、色石の価値を決める基準の１つとなるものである。
【００５７】
傷情報記録部７では、色石の傷が少ないものから順番にランク分けをして、基準が設定されている。また、傷の程度の基準は色石の種類ごとに設定されている。
【００５８】
また、色石価格情報システム１は、色石のサイズ情報を入力するサイズ情報入力部８を有している。色石のサイズ、即ち、カラットを数値で入力し、入力されたカラット数は色石の価値を決める基準の１つとなる。
【００５９】
ここで、色石価格情報システム１は、ネットワーク上に設けられ、外部の端末２からインターネット３を介して使用可能な形態に限定されるものではない。例えば、外部の端末２にダウンロードして使用される形態も採用し得る。但し、情報の更新が容易になる点や、ネットワークにアクセス可能な環境にあれば、携帯型の端末でもシステムが使用可能となり利便性に優れる点から、色石価格情報システム１は、ネットワーク上に設けられ、外部の端末２からインターネット３を介して使用可能な形態とされることが好ましい。
【００６０】
図１に示すように、色石価格情報システム１は、形態情報記録部９、品目情報記録部１０、地金種類情報記録部１１を有している。形態情報記録部９には、価格を算出する対象物が製品であるか、裸石であるかが記録される。形態情報、品目情報及び地金種類は、対象物の価値を決める基準の１つとなる。
【００６１】
また、品目情報記録部１０には、対象物が製品の形態である場合に、指輪やネックレスといったどの品目に該当するかが記録される。また、地金種類情報１１には、対象物が製品の形態である場合に、製品の台座や鎖を構成する地金部分の種類が記録される。例えば、金、銀、ピンクゴールドやプラチナ等の種類が記録される。
【００６２】
また、色石価格情報システム１は、地金の重量を入力する地金重量情報入力部１２と、メレダイヤの合計カラット数を入力するメレダイヤ入力部１３を有する。入力された地金重量及びメレダイヤの合計カラット数は、対象物の価値を決める基準の１つとなる。
【００６３】
また、色石価格情報システム１は、価格出力部１４を有している。価格出力部１４には、色石の国際市場の情報及び宝石の競売会の価格情報等を元に入力された色石相場情報が記録されている。また、価格出力部１４には、金やプラチナ等、地金の相場に関する地金相場情報が記録されている。
【００６４】
また、色石相場情報及び地金相場情報については市場相場の変更に対応して、定期的に更新されるものとなっている。
【００６５】
価格出力部１４は、対象となる色石の種類、色の属性、傷の程度、色石のサイズ、形態情報、品目情報、地金種類、地金重量及びメレダイヤの合計カラット数の情報と、色石相場情報、地金相場情報に基づき、その価格を出力する。
【００６６】
また、色石価格情報システム１は、色石の種類の特性に応じた参考情報が記録された参考情報記録部１５を有している。参考情報とは、例えば、色の種類がエメラルドで、色の属性のランクが高いものであれば、さらに高い価格を提示可能であるといった、より詳細な価格に関する参考情報である。
【００６７】
また、価格出力部１４は、対象となる価格を出力する際に、同時に参考情報を出力し、価格を決定する際の補助を行う。
【００６８】
また、色石価格情報システム１は、色石の在庫の状況が記録された在庫情報記録部１６を有する。在庫情報記録部１６には、システムを利用する店舗の情報が記録され、単独の店舗のみならず、複数の店舗の情報を記録させることができる。
【００６９】
また、色石価格情報システム１は、価格変更情報出力部１７を有する。価格変更情報出力部１７は、在庫情報記録部１６と連動して、店舗の在庫情報に応じて、価格出力部１４が出力した色石の価格について変更を促す情報を出力する。
【００７０】
例えば、対象の色石について、価格出力部１４が１００万円の価格を出力した際に、店舗の在庫状況で、その色石の在庫が不足している場合には、価格変更情報出力部１７が、価格をさらに１０万円上げる旨のメッセージを出力する。これにより、単に色石のランクと市場の相場が反映された価格に留まらず、システムの利用者の実情に沿った価格の算出が可能となる。
【００７１】
また、色石価格情報システム１は、写真データ記録部１８を有する。写真データ記録部１８には、新たな色石の写真データを記録することができる。例えば、種類が不明な色石について、人の手によって判定を行い、その結果と共に、写真データを記録させることができる。
【００７２】
また、色石価格情報システム１は、色石の種類と共に写真データ記録部１８に記録された色石の情報に基づき、色合い情報、色属性情報、傷情報を更新するものとなっている。これにより、種類が判明した色石の情報が蓄積され、より判定の精度を高めることができる。
【００７３】
ここで、必ずしも、色石価格情報システム１が、形態情報記録部９、品目情報記録部１０、地金種類情報記録部１１、地金重量情報入力部１２、及びメレダイヤ入力部１３を有する必要はない。但し、裸石の色石そのものの価格だけでなく、製品形態の対象物についても正確な価格算出が可能となる点から、色石価格情報システム１が、形態情報記録部９、品目情報記録部１０、地金種類情報記録部１１、地金重量情報入力部１２、及びメレダイヤ入力部１３を有することが好ましい。
【００７４】
また、必ずしも、色石価格情報システム１が、色石の種類の特性に応じた参考情報が記録された参考情報記録部１５を有し、価格出力部１４が参考情報を出力する必要はない。但し、色石の種類ごとの価格設定のポイントとなる情報を知ることができ、正確な価格算出が可能となる点から、色石価格情報システム１が、色石の種類の特性に応じた参考情報が記録された参考情報記録部１５を有し、価格出力部１４が参考情報を出力することが好ましい。
【００７５】
また、必ずしも、色石価格情報システム１が在庫情報記録部１６と価格変更情報出力部１７を有する必要はない。但し、システムを利用する店舗の在庫状況に応じた価格算出が可能となる点から、色石価格情報システム１が在庫情報記録部１６と価格変更情報出力部１７を有することが好ましい。
【００７６】
また、必ずしも、色石価格情報システム１が、写真データ記録部１８を有し、色石の種類と共に写真データ記録部１８に記録された色石の情報に基づき、色合い情報、色属性情報、傷情報を更新する必要はない。但し、システムを利用した色石の種類の判定の精度を高めることができる点から、色石価格情報システム１が、写真データ記録部１８を有し、色石の種類と共に写真データ記録部１８に記録された色石の情報に基づき、色合い情報、色属性情報、傷情報を更新することが好ましい。
【００７７】
また、色石価格情報システム１には、その他の評価基準の項目も追加することができる。例えば、色石の輝きを表す「色石のテリ」の基準を設定し、価格を算出する際の評価基準とすることも考えられる。
【００７８】
以下、本発明の実施形態ついて図面を参照しながら説明する。
図２は、本発明を適用した価格情報提供方法のフローチャートを示す概略図である。
【００７９】
ここでは、前述した色石価格情報システム１を用いて、色石の価格情報の提供を行う際の流れを説明する。なお、ここで示す価格提供方法は、本発明を適用した価格情報提供方法の一例であり、価格提供方法は以下に示すものに限定されるものではない。
【００８０】
図２に示すように、本発明を適用した色石価格提供方法１９では、色石の種類を決定し（Ｓ１）、色石のランク付けを行い（Ｓ２）、色石の価格を出力する（Ｓ３）。また、必要に応じて、価格の算出後に人の手による鑑別や買取を依頼する（Ｓ４）こともできる。
【００８１】
また、色石の価格の出力は、色石価格情報システム１にアクセス可能な端末を用いて行う。
【００８２】
まず、色石の種類を決定（Ｓ１）では、価格算出やランク付けの前提となる、色石の種類を決定する。色石の種類が不明なものについては、外観上の色合いを見て、その色石の有する色合いに該当する色を選択する。その後、選択した色合いを有する色石の種類の中から、対象の色石の種類と思われるものを選択する。
【００８３】
また、既に対象となる色石の種類が明確なものについては、その種類名を選択することで、色石のランク付け（Ｓ２）に進むこともできる。
【００８４】
続いて、色石のランク付けを行うために、評価の基準となる各項目の情報の入力及び選択を行う。色石の評価基準としては、サイズ、色の属性及び傷の程度が最も影響する。また、形態、製品品目、地金種類、地金の重量も評価基準となる。
【００８５】
全ての情報を入力及び選択することで、色石価格情報システム１に記録された相場と照らし合わせて、対象となる色石の価格を算出し、端末に表示する。この際は、色石の種類に特有の性質を反映した価格の増減や、システムを利用する店舗の在庫状況を反映した価格の増減に関するメッセージも出力される。
【００８６】
また、上記までで対象となる色石の価格を知ることができるが、更に、色石の詳細な情報を知りたい場合には、鑑別依頼を選択することで、色石価格情報システム１を介して、色石の鑑別を依頼することができる。
【００８７】
また、色石の店舗での買取を希望する際には、買取依頼を選択することで、色石価格情報システム１を介して、買取を依頼することができる。
【００８８】
以下、色石の種類を決定し（Ｓ１）、色石のランク付けを行い（Ｓ２）、色石の価格を出力する（Ｓ３）までの詳細部分について説明を行う。
図３は、色石の色合い情報ページ及び色石の種類情報ページを示す概略図である。図４は、各情報に基づき色石の価格出力を行うページを示す概略図である。図５は、色石の色の属性のランクの判定ページの概略図である。図６は、色石の傷の程度のランクの判定ページの概略図である。
【００８９】
まず、図３に示すように、色石の種類が不明な場合には、端末画面に表示された色合い選択用ページ２０の複数の色合いの中から、対象となる色石の有する色合いを確認して、その色合いに該当する色を選択する。また、この画面上では単なる色合いの文字情報だけでなく、その色合いを有する色石の画像イメージ２１を合わせて表示している。
【００９０】
例えば、緑色が選択された場合には、緑色を呈する色石の種類情報ページ２２へと移行する。種類情報ページ２２では、複数の種類が表示される。また、この画面上でも、単なる種類の文字情報だけでなく、その色石の種類の画像イメージ２３を合わせて表示している。対象となる色石の形状や色を参考に、色石の種類を選択する。ここでは、方法の例示として、エメラルドを選択したこととする。
【００９１】
また、図３に示すように、種類情報ページ２２では、色石の種類の下に、価格提示時の参考となるような「高価買取可能」や「ほぼ価値なし」といったメッセージも併せて表示するものとなっている。
【００９２】
また、色合い選択用ページ２０には、宝石種類選択タブ２４が表示されている。初めから種類が分かっている色石については、宝石種類選択タブ２４の中から種類を選択し、ランク付けのステップに進むこともできる。
【００９３】
種類情報ページ２２で、いずれかの種類を選択すると、図４に示すような、選択した種類のランク付けページ２５へと移行する。ランク付けページ２５では、種類情報ページ２２で選択した色石の種類２６と、その価格を算出する基準となる複数の項目が表示されている。
【００９４】
ランク付けページ２５では、上から順番に、対象となる色石に該当する情報を入力及び選択していく。まず、色石のサイズ情報入力フォーム２７に、色石のカラット数の数値を入力する。
【００９５】
また、色石の色の属性について、カラーサンプル画像２８を参考にして、対象となる色石の色の属性に近いサンプル画像に付されたカラーランク２９を選択する。なお、図４ではＡ〜Ｄの４段階を表示しているが、色石の種類に応じて、ランクの数は変わるものとなっている。
【００９６】
また、色石の傷の程度について、傷サンプル画像３０を参考にして、対象となる色石の傷の程度に近いサンプル画像に付された傷ランク３１を選択する。なお、図４では少ない〜価値なしの４段階を表示しているが、色石の種類に応じて、ランクの数は変わるものとなっている。
【００９７】
また、ランク付けページ２５では、対象物の形態が製品かルース（裸石）かを選択する形態選択項目３２があり、製品またはルースのいずれかを選択する。また、対象物が製品の場合には、その製品の品目を選択する製品品目選択項目３３から、その製品の品目を選択する。前述したが、製品の品目とは、製品の形状であり、具体的には、指輪やネックレス等を指す。
【００９８】
また、ランク付けページ２５では、対象物が製品の場合には、その製品の台座等を構成する地金の種類を地金種類選択項目３４から選択する。また、その地金部分の重量を、地金重量情報入力フォーム３５に入力する。製品によっては複数の地金から構成されるものもあるため、地金種類選択項目３４は複数設けられている。
【００９９】
また、ランク付けページ２５では、対象物が製品の場合で、メレダイヤを有するもの背ある場合には、メレダイヤカラット数入力フォーム３６にメレダイヤの合計カラット数を入力する。
【０１００】
ここで、色石の評価基準としての重要度が高い、色の属性及び傷の程度のランク付けをより詳しく説明する。
【０１０１】
まず、色石の色の属性を選択する際に、ランク付けページでサンプル画像タブ３７を選択すると、図５に示すような、さらに複数のエメラルドのカラーサンプル画像３８を掲載したカラーランク詳細ページ３９に移行する。
【０１０２】
カラーランク詳細ページ３９では、Ａ〜ＮＧまでのランク４０と、そのランクに該当する色の属性を示す複数のサンプル画像が表示される。ランク付けページ２５でのランクの選択が難しい場合には、このページのサンプル画像を参考に、色の属性のランクを判定することができる。
【０１０３】
また、個別のサンプル画像を選択すると、そのサンプル画像に対応したランク、傷の程度の情報、参考買取価格等のサンプル画像データ対応情報４１を確認することができる。
【０１０４】
また、色石の傷の程度を選択する際に、ランク付けページでサンプル画像タブ４２を選択すると、図６に示すような、さらに複数のエメラルドの傷サンプル画像４３を掲載した傷ランク詳細ページ４４に移行する。
【０１０５】
傷ランク詳細ページ４４では、少ない〜ＮＧまでのランク４５と、そのランクに該当する傷の程度を示す複数のサンプル画像が表示される。ランク付けページ２５でのランクの選択が難しい場合には、このページのサンプル画像を参考に、傷の程度のランクを判定することができる。
【０１０６】
また、個別のサンプル画像を選択すると、そのサンプル画像に対応したランク、色の属性の情報、参考買取価格等のサンプル画像データ対応情報４６を確認することができる。
【０１０７】
ここまでで、色石の価格に影響する各性質の情報が揃ったこととなり、各項目のランク付けと、色石価格情報システム１に記録された色石の相場に照らし合わせて、対象となる色石の価格が算出される。価格結果は、ランク付けページ２５の価格フォーム４７に表示される。
【０１０８】
また、価格結果は、ランク付けページの「査定」項目を選択し、より詳細な価格結果として表示することもできる。より詳細な結果とは、例えば、ルース、地金部分の各々の価格を表示した状態等をいう。また、ここで、色石の種類に特有の性質を反映した価格の増減や、システムを利用する店舗の在庫状況を反映した価格の増減に関するメッセージを表示させることもできる。
【０１０９】
また、価格結果を踏まえて、システムを使用する店舗での鑑別依頼や、買取依頼を端末で選択して、依頼することもできる。また、鑑別依頼を受けて、人の手による鑑別を行った後に、その結果を色石価格情報システム１に登録し、鑑別結果を出力させることも可能である。
【０１１０】
このように、本発明の色石価格提供方法１９では、種類が不明な色石の種類をその色合いと外観を参考に判定することができる。色合いに応じた複数の種類が表示されるため、色石の専門知識を有する者でなくても、一定の水準で色石の判定を行うことが可能となる。
【０１１１】
また、色石価格情報システム１の種類情報には、同じ種類の色石でも複数の色合いを有するものが記録されているため、色石の種類の誤認が生じにくいものとなっている。
【０１１２】
また、色石価格情報システム１では、従前は曖昧であった色石の評価基準について、複数の項目とサンプルでランク分けできる仕組みとなっているため、該当する色石の種類における適切な位置づけを行うことが可能となった。
【０１１３】
また、対象となる色石のランクと、その色石の市場の相場の情報を組み合わせたことで、色石の適正な価格を出力することができる。また、製品の形態であっても、地金の情報等と組み合わせることで、より厳密な価格算出を行うことができる。
【０１１４】
また、色石価格情報システム１が出力する価格を参考の価格として取り扱い、使用者の状況に応じた価格の増減を加え、実際の売買等に使用することができる。
【０１１５】
また、色石価格情報システム１は任意の端末から利用可能な形態となっており、汎用性の高いものとなっている。例えば、店舗に設置した端末や、携帯端末等を用いて使用することができる。
【０１１６】
続いて、本発明の別の実施の形態について説明する。ここでは、ダイヤモンドの価格出力に関する形態について記載する。
図７は、本発明を適用した価格情報提供システムの一例を示す概略図である。
【０１１７】
図７に示すように、本発明を適用したダイヤモンド価格情報システム４８は、ネットワーク上に設けられ、外部の端末２からインターネット３を介して使用可能な形態となっている。
【０１１８】
また、ダイヤモンド価格情報システム４８は、ダイヤモンドの色の属性に関する情報であるダイヤ色属性情報が記録されたダイヤ色属性情報記録部４９を有する。
【０１１９】
また、ダイヤモンド価格情報システム４８は、ダイヤモンドの傷の程度に関する情報である傷情報が記録されたダイヤ傷情報記録部５０を有する。
【０１２０】
また、ダイヤモンド価格情報システム４８は、ダイヤモンドのサイズ情報を入力するダイヤサイズ情報入力部５１を有している。
【０１２１】
また、ダイヤモンド価格情報システム４８は、ダイヤモンドのカット情報が記録されたカット情報記録部５２を有している。
【０１２２】
カット情報記録部５２では、ダイヤモンドのカットグレードでランク分けをして、基準が設定されている。具体的には、対象となるダイヤモンドのテーブル、ガードル、パビリオンといった各領域のサイズに依存して、カットのランクが定められている。
【０１２３】
また、ダイヤモンド価格情報システム４８は、形態情報記録部５３、品目情報記録部５４、地金種類情報記録部５５を有している。
【０１２４】
また、ダイヤモンド価格情報システム４８は、地金の重量を入力する地金重量情報入力部５６と、メレダイヤの合計カラット数を入力するメレダイヤ入力部５７を有する。
【０１２５】
また、ダイヤモンド価格情報システム４８は、価格出力部５８を有している。価格出力部５８には、ダイヤモンドの市場相場の価格情報を元に入力されたダイヤ相場情報が記録されている。また、価格出力部５８には、金やプラチナ等、地金の相場に関する地金相場情報が記録されている。
【０１２６】
また、ダイヤ相場情報及び地金相場情報については市場相場の変更に対応して、定期的に更新されるものとなっている。
【０１２７】
価格出力部５８は、対象となるダイヤモンドの色の属性、傷の程度、サイズ、カット、形態情報、品目情報、地金種類、地金重量及びメレダイヤの合計カラット数の情報と、ダイヤ相場情報、地金相場情報に基づき、その価格を出力する。
【０１２８】
また、ダイヤモンド価格情報システム４８は、色石の在庫の状況が記録された在庫情報記録部５９を有する。在庫情報記録部５９には、システムを利用する店舗の情報が記録され、単独の店舗のみならず、複数の店舗の情報を記録させることができる。
【０１２９】
また、ダイヤモンド価格情報システム４８は、価格変更情報出力部６０を有する。価格変更情報出力部６０は、在庫情報記録部５９と連動して、店舗の在庫情報に応じて、価格出力部５８が出力したダイヤモンドの価格について変更を促す情報を出力する。
【０１３０】
以上までが、ダイヤモンド価格情報システム４８の構成である。続いて、このダイヤモンド価格情報システム４８を用いたダイヤモンドの価格情報提供方法を説明する。なお、ここで示す価格提供方法は、本発明を適用した価格情報提供方法の一例であり、価格提供方法は以下に示すものに限定されるものではない。
図８は、各情報に基づきダイヤモンドの価格出力を行うページを示す概略図である。
【０１３１】
図８に示すように、ダイヤランク付けページ６１では、ダイヤモンドの価格を算出する基準となる複数の項目が表示されている。
【０１３２】
ダイヤランク付けページ６１では、上から順番に、対象となるダイヤモンドに該当する情報を入力及び選択していく。まず、ダイヤサイズ情報入力フォーム６２にカラット数の数値を入力する。
【０１３３】
また、ダイヤモンドの色の属性について、カラーサンプル画像６３を参考にして、対象となるダイヤモンドの色の属性に近いサンプル画像に付されたカラーランク６４を選択する。
【０１３４】
また、ダイヤモンドの傷の程度について、傷サンプル画像６５を参考にして、対象となるダイヤモンドの傷の程度に近いサンプル画像に付された傷ランク６６を選択する。
【０１３５】
また、ダイヤモンドのカットについて、カットサンプル画像６７を参考にして、対象となるダイヤモンドのカットに近いサンプル画像に付されたカットランク６８を選択する。なお、カットは、テーブル、ガードル、パビリオンの各領域をサンプルと比較して、全体のランクを判定する。
【０１３６】
また、ダイヤランク付けページ６１では、対象物の形態が製品かルース（裸石）かを選択する形態選択項目６９があり、製品またはルースのいずれかを選択する。また、対象物が製品の場合には、その製品の品目を選択する製品品目選択項目７０から、その製品の品目を選択する。
【０１３７】
また、ダイヤランク付けページ６１では、対象物が製品の場合には、その製品の台座等を構成する地金の種類を地金種類選択項目７１から選択する。また、その地金部分の重量を、地金重量情報入力フォーム７２に入力する。製品によっては複数の地金から構成されるものもあるため、地金種類選択項目７１は複数設けられている。
【０１３８】
また、ダイヤランク付けページ６１では、対象物が製品の場合で、メレダイヤを有するもの背ある場合には、メレダイヤカラット数入力フォーム７３にメレダイヤの合計カラット数を入力する。
【０１３９】
ここまでで、ダイヤモンドの価格に影響する各性質の情報が揃ったこととなり、各項目のランク付けと、ダイヤモンド価格情報システム４８に記録されたダイヤモンドの相場に照らし合わせて、対象となる色石の価格が算出される。価格結果は、ダイヤランク付けページ６１の価格フォーム７４に表示される。
【０１４０】
また、価格結果は、ランク付けページの「査定」項目を選択し、より詳細な価格結果として表示することもできる。より詳細な結果とは、例えば、ルース、地金部分の各々の価格を表示した状態等をいう。また、ここで、システムを利用する店舗の在庫状況を反映した価格の増減に関するメッセージを表示させることもできる。
【０１４１】
また、価格結果を踏まえて、システムを使用する店舗での鑑別依頼や、買取依頼を端末で選択して、依頼することもできる。
【０１４２】
以上のように、本発明を適用した価格情報提供システムは、宝石等に適正な価格を付けることのできるものとなっている。
また、本発明を適用した価格情報提供プログラムは、宝石等に適正な価格を付けることのできるものとなっている。
また、本発明を適用した価格情報提供方法は、宝石等に適正な価格を付けることのできるものとなっている。
【符号の説明】
【０１４３】
１      色石価格情報システム
２      端末
３      インターネット
４      色合い情報記録部
５      種類情報記録部
６      色属性情報記録部
７      傷情報記録部
８      サイズ情報入力部
９      形態情報記録部
１０      品目情報記録部
１１      地金種類情報記録部
１２      地金重量情報入力部
１３      メレダイヤ入力部
１４      価格出力部
１５      参考情報記録部
１６      在庫情報記録部
１７      価格変更情報出力部
１８      写真データ記録部
１９      色石価格提供方法
２０      色合い選択用ページ
２１      画像イメージ
２２      種類情報ページ
２３      画像イメージ
２４      宝石種類選択タブ
２５      ランク付けページ
２６      色石の種類
２７      サイズ情報入力フォーム
２８      カラーサンプル画像
２９      カラーランク
３０      傷サンプル画像
３１      傷ランク
３２      形態選択項目
３３      製品品目選択項目
３４      地金種類選択項目
３５      地金重量情報入力フォーム
３６      メレダイヤカラット数入力フォーム
３７      サンプル画像タブ
３８      カラーサンプル画像
３９      カラーランク詳細ページ
４０      ランク
４１      サンプル画像データ対応情報
４２      サンプル画像タブ
４３      傷サンプル画像
４４      傷ランク詳細ページ
４５      ランク
４６      サンプル画像データ対応情報
４７      価格フォーム
４８      ダイヤモンド価格情報システム
４９      ダイヤ色属性情報記録部
５０      ダイヤ傷情報記録部
５１      ダイヤサイズ情報入力部
５２      カット情報記録部
５３      形態情報記録部
５４      品目情報記録部
５５      地金種類情報記録部
５６      地金重量情報入力部
５７      メレダイヤ入力部
５８      価格出力部
５９      在庫情報記録部
６０      価格変更情報出力部
６１      ダイヤランク付けページ
６２      ダイヤサイズ情報入力フォーム
６３      カラーサンプル画像
６４      カラーランク
６５      傷サンプル画像
６６      傷ランク
６７      カットサンプル画像
６８      カットランク
６９      形態選択項目
７０      製品品目選択項目
７１      地金種類選択項目
７２      地金重量情報入力フォーム
７３      メレダイヤカラット数入力フォーム
７４      価格フォーム
【図１】
2015072507.tif 000003
【図２】
2015072507.tif 000004
【図３】
2015072507.tif 000005
【図４】
2015072507.tif 000006
【図５】
2015072507.tif 000007
【図６】
2015072507.tif 000008
【図７】
2015072507.tif 000009
【図８】
2015072507.tif 000010
【図９】
2015072507.tif 000011